(57)【要約】【課題】名称表示等の変更に対しても容易に対応可能にして変更に伴う工数の削減及びコストダウンを図るとともに、画面切換キーの視認性及び操作性の向上、さらにはディスプレイサイズの大型化に寄与し、さらに、画面切換キーの配列（順番）を自由に変更可能にしてユーザサイドの使い勝手（利便性）を高める。【解決手段】タッチパネル３を付設したディスプレイ２を備える射出成形機Ｍの表示装置１を構成するに際して、ディスプレイ２に表示される画面Ｖ１，Ｖ２…を切換える複数の画面切換キーＫ１，Ｋ２…を、複数の異なるグループＧａ，Ｇｂ…にランク分けし、各グループＧａ，Ｇｂ…毎に、ディスプレイ２における異なる辺部Ｓａ，Ｓｂ…に沿って当該ディスプレイ２の画面Ｖ１，Ｖ２…に表示する。【選択図】図１
2004155072.tif 000002
【特許請求の範囲】
【請求項１】
タッチパネルを付設したディスプレイを備える射出成形機の表示装置において、前記ディスプレイに表示される画面を切換える複数の画面切換キーを、複数の異なるグループにランク分けし、各グループ毎に、前記ディスプレイにおける異なる辺部に沿って当該ディスプレイの画面に表示したことを特徴とする射出成形機の表示装置。
【請求項２】
前記グループは、成形機の動作条件の設定に係わる第一のグループとそれ以外となる第二のグループであることを特徴とする請求項１記載の射出成形機の表示装置。
【請求項３】
前記第一のグループは、前記ディスプレイの上辺部に沿って表示し、かつ前記第二のグループは、前記ディスプレイの下辺部に沿って表示することを特徴とする請求項２記載の射出成形機の表示装置。
【請求項４】
前記画面切換キーの配列を任意に変更する配列変更機能及び変更後の配列を記憶する配列記憶機能を備えることを特徴とする請求項１記載の射出成形機の表示装置。
【請求項５】
前記第一のグループにおける画面切換キーの選択により表示される一又は二以上の画面上に、動作条件を設定するための少なくともテンキーを含む設定支援ボードをウィンドウ表示する支援ボード表示機能を備えることを特徴とする請求項１記載の射出成形機の表示装置。
【発明の詳細な説明】
【０００１】
【発明の属する技術分野】
本発明は、タッチパネルを付設したディスプレイを備える射出成形機の表示装置に関する。
【０００２】
【従来の技術】
従来、タッチパネルを付設したディスプレイを備える射出成形機の表示装置としては、特開平９−２４４８１１号公報で開示されるタッチパネルを用いたタッチ入力表示装置や特開平１０−１１３９６９号公報で開示される射出成形機の入力装置等が知られている。
【０００３】
ところで、一般に、射出成形機には、圧力，速度，位置及び温度等に対する各種の設定項目（設定画面）が数多く存在する。このため、従来の表示装置では、上述した公報に開示されるように、ディスプレイの近傍に別途のスイッチパネルを設け、ディスプレイの画面表示自体を切換える画面切換キー（ファンクションキー）は、ディスプレイの表示に影響を受けないスイッチパネル上に配設していた。
【特許文献１】
特開平９−２４４８１１号公報
【特許文献２】
特開平１０−１１３９６９号公報
【０００４】
【発明が解決しようとする課題】
しかし、上述した射出成形機に備える従来の表示装置は、次のような解決すべき課題が存在した。
【０００５】
第一に、スイッチパネルに配設する画面切換キーに対する名称表示等は、通常、印刷シートを貼着する手段により行われるため、例えば、名称表示等を輸出先となる他国の言葉に変更する場合、その都度、印刷シートを作り替える必要があるなど、容易に対応できないとともに、変更に伴う工数の増加やコストアップを招く。
【０００６】
第二に、スイッチパネルに設けた画面切換キーは、その位置が固定されるため、例えば、ユーザ自身が使い勝手を考慮して画面切換キーの配列（順番）を変更したい場合であってもこれに応えることができない。
【０００７】
第三に、画面切換キーは、通常、ディスプレイの近傍にまとめて配置されるため、キー数が多くなった場合、オペレータにとって見にくくかつ判りにくくなり、視認性及び操作性の低下を招くとともに、誤操作（誤設定）も生じやすい。しかも、配設スペースが限られた場合、スイッチパネル分だけディスプレイのサイズが制限されてしまう。
【０００８】
本発明は、このような従来の技術に存在する課題を解決したものであり、名称表示等の変更に対しても容易に対応可能にして変更に伴う工数の削減及びコストダウンを図れるとともに、画面切換キーの視認性及び操作性の向上、さらにはディスプレイサイズの大型化に寄与でき、しかも、画面切換キーの配列（順番）を自由に変更可能にしてユーザサイドの使い勝手（利便性）を高めることができる射出成形機の表示装置の提供を目的とする。
【０００９】
【課題を解決するための手段及び実施の形態】
本発明は、タッチパネル３を付設したディスプレイ２を備える射出成形機Ｍの表示装置１を構成するに際して、ディスプレイ２に表示される画面Ｖ１，Ｖ２…を切換える複数の画面切換キーＫ１，Ｋ２，Ｋ３…を、複数の異なるグループＧａ，Ｇｂ…にランク分けし、各グループＧａ，Ｇｂ…毎に、ディスプレイ２における異なる辺部Ｓａ，Ｓｂ…に沿って当該ディスプレイ２の画面Ｖ１，Ｖ２…に表示したことを特徴とする。
【００１０】
この場合、好適な実施の形態により、グループＧａ…は、成形機の動作条件の設定に係わる第一のグループＧａとそれ以外となる第二のグループＧｂに分けることができるとともに、第一のグループＧａは、ディスプレイ２の上辺部Ｓａに沿って表示し、かつ第二のグループＧｂは、ディスプレイ２の下辺部Ｓｂに沿って表示することができる。また、表示装置１には、画面切換キーＫ１…の配列を任意に変更する配列変更機能Ｆ１及び変更後の配列を記憶する配列記憶機能Ｆ２を設けることができるとともに、第一のグループＧａにおける画面切換キーＫ１…の選択により表示される一又は二以上の画面Ｖ１…上に、動作条件を設定するための少なくともテンキーＫｔを含む設定支援ボード４をウィンドウ表示する支援ボード表示機能Ｆ３を設けることができる。
【００１１】
【実施例】
次に、本発明に係る好適な実施例を挙げ、図面に基づき詳細に説明する。
【００１２】
まず、本実施例に係る表示装置１の構成及びこの表示装置１を備える射出成形機Ｍの概略構成について、図２及び図３を参照して説明する。
【００１３】
図２中、仮想線で示すＭは射出成形機であり、機台Ｍｂと、この機台Ｍｂ上に設置された射出装置Ｍｉ及び型締装置Ｍｃを備える。射出装置Ｍｉは、加熱筒１０を備え、この加熱筒１０の前端に図に現れない射出ノズルを有するとともに、加熱筒１０の後部には材料を供給するホッパ１１を備える。一方、型締装置Ｍｃには可動型と固定型からなる金型１２を備える。また、機台Ｍｂ上には、起設した側面パネル１３を利用して表示装置１を配設する。この場合、表示装置１は、タッチパネル３を付設したディスプレイ２を有するディスプレイユニット２１と、このディスプレイユニット２１に接続する表示制御ユニット２２（図３）を含むため、ディスプレイユニット２１は側面パネル１３に配設するとともに、表示制御ユニット２２は機台Ｍｂに内蔵させる。
【００１４】
図３は、表示装置１の機能ブロック図を示す。表示制御ユニット２２は、図示しないＣＰＵ，ＲＯＭ，ＲＡＭ等を含むコンピュータにより構成され、ＨＭＩ（ヒューマン・マシン・インタフェース）プログラムにより機能する。このＨＭＩプログラムは、射出成形機Ｍの動作条件の設定や表示及び射出成形機Ｍの動作監視データの表示等を行うソフトウェアである。この表示制御ユニット２２には、画像表示データ処理部（制御部）２３、各種センサの検出データ，入出力情報及びアナログ情報等を書き込むプロセスデータメモリ２４、各種画像データを記憶する画像データメモリ２５、動作条件等の各種設定データを記憶する設定データメモリ２６、タッチパネル３に接続した入力処理部２７、ディスプレイ２に接続した画像メモリ２８等が含まれる。この場合、ディスプレイ２としてはカラー表示可能なカラー液晶ディスプレイを用いることができる。そして、この表示装置１により、後述する配列変更機能Ｆ１，配列記憶機能Ｆ２及び支援ボード表示機能Ｆ３が所定のプログラムに従って実行される。
【００１５】
次に、本実施例に係る表示装置１の機能について、図１〜図６を参照して説明する。
【００１６】
図１は、ディスプレイ２に表示された工程監視画面Ｖ１を示す。この工程監視画面Ｖ１は、主に、工程及び測定値を表示する工程表示部３１，生産進捗度を表示する進捗度表示部３２，スクリュ位置を表示するスクリュ位置表示部３３，型位置を表示する型位置表示部３４，エジェクタ位置を表示するエジェクタ位置表示部３５，樹脂圧力を表示する樹脂圧力表示部３６及びスクリュ回転速度を表示するスクリュ回転表示部３７等を表示するものであり、成形稼働中の工程監視を行うことができる。
【００１７】
一方、工程監視画面Ｖ１の上段と下段には、画面Ｖ１，Ｖ２…を切換える画面項目毎に設けた複数の画面切換キーＫ１，Ｋ２，Ｋ３…を表示する。この場合、画面切換キーＫ１…は次のように表示する。まず、全ての画面切換キーＫ１，Ｋ２，Ｋ３…を、複数の異なるグループＧａ，Ｇｂ…にランク分けする。実施例の画面切換キーＫ１…は、図１に示すように、型開閉画面切換キーＫ１，エジェクタ画面切換キーＫ２，射出・計量画面切換キーＫ３，温度画面切換キーＫ４，モニタ画面切換キーＫ５，主要条件画面切換キーＫ６，条件切換画面切換キーＫ７，段取り画面切換キーＫ８，工程監視画面切換キーＫ９，生産情報画面切換キーＫ１０，波形画面切換キーＫ１１，統計画面切換キーＫ１２及びトレンド画面切換キーＫ１３、さらに、第二階層に、図に現れない履歴画面切換キー，プログラム画面切換キー，信号レコーダ画面切換キー，診断画面切換キー及び支援画面切換キーを有するため、これらの各画面切換キーＫ１…を、成形機の動作条件の設定に係わる第一のグループＧａとそれ以外となる第二のグループＧｂにランク分けした。即ち、画面切換キーＫ１〜Ｋ７を含む第一のグループＧａと、画面切換キーＫ８〜Ｋ１３、さらには第二階層における不図示の画面切換キーを含む第二のグループＧｂにランク分けした。なお、このランク分けは、主に使用頻度の高さを考慮したものである。
【００１８】
そして、第一のグループＧａは、図１に示すように、ディスプレイ２の上辺部Ｓａに沿って横一列になるように当該ディスプレイ２の画面上段に表示するとともに、第二のグループＧｂは、ディスプレイ２の下辺部Ｓｂに沿って横一列になるように当該ディスプレイ２の画面下段に表示する。表示した各画面切換キーＫ１…は、タッチパネル３により構成するため、各画面切換キーＫ１…の上を指先でタッチすることにより選択することができる。図１に示す工程監視画面Ｖ１は、工程監視画面切換キーＫ９のタッチにより表示される。なお、各画面切換キーＫ１…の表示は、ノータッチ状態でやや盛り上がった立体的なデザインになるとともに、タッチした際には押されて窪んだ立体的なデザインとなる。
【００１９】
これらの各画面切換キーＫ１…は、工程監視画面Ｖ１を他の画面Ｖ２…に切換えた場合でも同様に表示される。例えば、図６は、射出・計量画面切換キーＫ３を選択した場合の射出・計量画面Ｖ２を示すが、この画面Ｖ２においても、各画面切換キーＫ１…は、図１に示した工程監視画面Ｖ１と同じ位置に同じ形状で表示される。
【００２０】
また、第二のグループＧｂの場合には、第一階層として六つの画面切換キーＫ８〜Ｋ１３が表示されるが、図１中、右端の第二階層画面切換キーＫｃをタッチすることにより、第二階層の画面切換キー、即ち、上述した履歴画面切換キー，プログラム画面切換キー，信号レコーダ画面切換キー，診断画面切換キー及び支援画面切換キーが、画面切換キーＫ８〜Ｋ１３と入れ替わる形で同様に表示される。
【００２１】
各画面切換キーＫ１…は、このようにレイアウト表示されるため、各画面切換キーＫ１…に表示される名称表示、例えば、画面切換キーＫ１に表示される「型開閉」の名称表示を、他の言葉に変更する場合でも、ソフトウェアにより容易に対処でき、変更に伴う工数の削減及びコストダウンを図ることができる。また、画面切換キーＫ１，Ｋ２…を、二つの異なるグループＧａ，Ｇｂにランク分けし、特に、使用頻度の高い動作条件の設定に係わる第一のグループＧａを、ディスプレイ２における上辺部Ｓａに沿った画面上段に配列させ、それ以外の画面切換キーＫ８，Ｋ９…を第二のグループＧｂとしてディスプレイ２における下辺部Ｓｂに沿った画面下段に配列させたため、各画面切換キーＫ１…に対する視認性及び操作性を高めることができる。しかも、従来のスイッチパネルが不要になるため、ディスプレイサイズの大型化にも寄与できる。
【００２２】
さらに、表示装置１は、画面切換キーＫ１…の配列を任意に変更できる配列変更機能Ｆ１を備える。以下、この配列変更機能Ｆ１に基づく配列変更方法（手順）について、図４に示すフローチャート及び図５を参照して説明する。配列変更を行うには、まず、メニューキーＫｍをタッチし、メニューをウィンドウ表示させるとともに（ステップＳ１）、このメニュー画面から画面切換キーリストの項目をタッチする。これにより、図５に示す画面切換キーリストウィンドウＶｃが表示される（ステップＳ２）。画面切換キーリストウィンドウＶｃには、現在の配置状態を表示する現配置表示欄４１と変更後の配列を表示する変更後表示欄４２を有し、画面切換キーリストウィンドウＶｃが表示された時点では、変更後表示欄４２は空白になっている。次いで、第一グループＧａ（上段）又は第二グループＧｂ（下段）を上段選択キーＫｕと下段選択キーＫｄをタッチして選択する。例示は下段を選択した状態を示している。
【００２３】
そして、配列変更開始キーＫｓをタッチし（ステップＳ３）、続いて、現配置表示欄４１の各項目を配置したい順番にタッチする。これにより、タッチした順番に変更後表示欄４２に各項目が順次表示される（ステップＳ４）。図５はこの状態を示している。項目の選択が終了し、変更後表示欄４２を確認して正しければ、確認キーＫｏをタッチして画面切換キーリストウィンドウＶｃを閉じる（ステップＳ５，Ｓ６）。これにより、画面Ｖ１…における画面切換キーＫ１…の配列は、変更後の配列に変わるとともに、変更した配列は配列記憶機能Ｆ２に基づいて画像データメモリ２５に記憶される（ステップＳ７）。なお、変更後表示欄４２を確認して誤りがあれば、訂正キーＫｒをタッチする。これにより、変更後表示欄４２が空白に戻るため、最初からやり直すことができる。
【００２４】
このような配列変更機能Ｆ１及び配列記憶機能Ｆ２を設けることにより、ユーザ自身が使い勝手を考慮して画面切換キーＫ１…の配列（順番）を任意に変更することができる。また、確認キーＫｏをタッチする前に、メモリキーＫｎをタッチ（選択）することにより、変更後の配列をメモリキーＫｎに対応させて登録することもできる。これにより、成形品の種類や複数のオペレータ等に対応した配列を登録できるため、他の配列に変更されている場合でも、メモリキーＫｎにより自由に読出すことができるため、配列変更の再設定を容易かつ確実に行うことができる。
【００２５】
一方、表示装置１には、動作条件（成形条件）を設定するための少なくともテンキーＫｔを含む設定支援ボード４をウィンドウ表示する支援ボード表示機能Ｆ３を備える。図６は、射出・計量画面Ｖ２上に、設定支援ボード４が表示された場合を示している。設定支援ボード４は、テンキーＫｔ，ファンクションキーＫｆ，確認表示部５１，設定範囲表示部５２及び設定項目表示部５３を有する。
【００２６】
この設定支援ボード４は、第一のグループＧａにおける画面切換キーＫ１…の選択によって表示される一又は二以上の画面Ｖ１…上に、所定の設定キーをタッチすることにより自動で表示される。即ち、図６に示す射出・計量画面Ｖ２において、任意の設定キー、例えば、射出工程に係る設定キーＫｉをタッチすれば、設定支援ボード４が自動で表示され、かつ当該設定キーＫｉは点滅状態になる。この後、具体的な設定を行う設定キー、例えば、一段目保圧力を設定する設定キーＫｐをタッチすれば、設定支援ボード４には対応する表示が行われる。
【００２７】
具体的には、設定項目表示部５３に、一段目保圧力の設定である旨の「Ｐｐ１」が表示されるとともに、設定範囲表示部５２には、一段目保圧力の設定範囲として「２．４−２４３．０ＭＰａ」が表示され、さらに、確認表示部５１には、既に設定されている設定値が反転表示される。そして、テンキーＫｔ及びファンクションキーＫｆを用いて新しい設定値をタッチ入力すれば、確認表示部５１には、入力した数値（新設定値）「１００」が非反転表示される。この後、エンタキーＫｅをタッチすれば、正規の設定処理が行われる。この際、入力した設定値が設定範囲を外れていれば、設定項目表示部５３に、その旨のエラー表示が行われる。よって、このような支援ボード表示機能Ｆ３を設けることにより、動作条件の設定を確実に行うことができ、誤設定も回避される。
【００２８】
以上、実施例について詳細に説明したが、本発明はこのような実施例に限定されるものではなく、細部の構成，配置，数量，手法等において、本発明の要旨を逸脱しない範囲で任意に変更，追加，削除することができる。例えば、実施例は、二つのグループＧａ，Ｇｂにランク分けした場合を示したが、三つ以上のグループＧａ，Ｇｂ…にランク分けし、ディスプレイ２における左辺部及び右辺部に沿って表示することも可能である。また、ランク分けの内容も例示した成形機の動作条件の設定に限定されるものではなく、他の条件に従って任意にランク分けが可能である。なお、ディスプレイ２として液晶ディスプレイを例示したが、ＣＲＴやプラズマディスプレイ等の各種ディスプレイを適用できる。
【００２９】
【発明の効果】
このように、本発明に係る射出成形機の表示装置は、タッチパネルを付設したディスプレイに表示される画面を切換える複数の画面切換キーを、複数の異なるグループにランク分けし、各グループ毎に、ディスプレイにおける異なる辺部に沿って当該ディスプレイの画面に表示するようにしたため、次のような顕著な効果を奏する。
【００３０】
（１）  画面切換キーに表示される名称表示等を変更する場合でも、ソフトウェアにより容易に対処でき、変更に伴う工数の削減及びコストダウンを図ることができる。
【００３１】
（２）  画面切換キーを複数の異なるグループにランク分けし、各グループ毎に、ディスプレイにおける異なる辺部に沿って表示するため、画面切換キーに対する視認性及び操作性を高めることができる。
【００３２】
（３）  従来のスイッチパネルが不要になるため、ディスプレイサイズの大型化に寄与することができる。
【００３３】
（４）  好適な実施の形態により、画面切換キーの配列を任意に変更する配列変更機能及び変更後の配列を記憶する配列記憶機能を設ければ、ユーザ自身が画面切換キーの配列（順番）を任意に変更することができ、ユーザサイドの使い勝手（利便性）を高めることができる。
【００３４】
（５）  好適な実施の形態により、動作条件を設定するための少なくともテンキーを含む設定支援ボードをウィンドウ表示する支援ボード表示機能を設ければ、動作条件の設定を確実に行うことができ、誤設定を回避できる。
【図面の簡単な説明】
【図１】本発明の好適な実施例に係る表示装置におけるディスプレイの画面図、
【図２】同表示装置を備える射出成形機の概要図、
【図３】同表示装置の機能ブロック図、
【図４】同表示装置における配列変更機能に基づく配列変更方法を説明するためのフローチャート、
【図５】同配列変更機能に基づいて表示される画面切換キーリストウィンドウを示す画面図、
【図６】同表示装置におけるディスプレイの他の画面図、
【符号の説明】
１      表示装置
２      ディスプレイ
３      タッチパネル
４      設定支援ボード
Ｍ      射出成形機
Ｖ１    ディスプレイに表示される画面（工程監視画面）
Ｖ２    ディスプレイに表示される画面（射出・計量画面）
Ｋ１…  画面切換キー
Ｋｔ    テンキー
Ｇａ    画面切換キーのグループ
Ｇｂ    画面切換キーのグループ
Ｓａ    ディスプレイの辺部（上辺部）
Ｓｂ    ディスプレイの辺部（下辺部）
Ｆ１    配列変更機能
Ｆ２    配列記憶機能
Ｆ３    支援ボード表示機能
【図１】
2004155072.tif 000003
【図２】
2004155072.tif 000004
【図３】
2004155072.tif 000005
【図４】
2004155072.tif 000006
【図５】
2004155072.tif 000007
【図６】
2004155072.tif 000008